(57)【要約】【課題】集塵部の上部のカバーを開く際に、収納されていたアタッチメントが落下することを防止できる構成のアップライト型電気掃除機を提供する。【解決手段】アタッチメント収納部７に収納されているアタッチメント８を取り出すために、カバー３は支点軸９を中心にして矢印のように、前方に開くことができる。この時、カバー３が水平になる前に集塵部２の取っ手３により受けるため、アタッチメント８が収納部７に完全に固定されていなくて、カバー３を開けた時にアタッチメント８がしっかり固定されてなく脱落していても、カバー３が水平にまで開くことがないので、カバー３によりアタッチメント８が落下してしまうのを防止することができる。【選択図】      図４
2007167566.tif 000002
【特許請求の範囲】
【請求項１】
掃除機本体内に集塵部、電動送風機とを有するアップライト型電気掃除機において、着脱可能な集塵部に該集塵部の着脱持ち運び用及び本体持ち運び用の取っ手を設け、かつ、該取っ手の上方側にカバー付きアタッチメント収納部を設け、該取っ手をカバー面より前側の位置に設けることにより、該カバーを回動支点軸を中心に前方側に開けた時に、水平以上にガバーが開かないように、取っ手部をカバーで受ける構造としたことを特徴とするアップライト型電気掃除機。
【請求項２】
前記取っ手部は、前記カバーを開けたとき、支点軸にかかる力が少なくなる程度にガバーの回動支点軸より離れた位置でカバーを受けるように設けられることを特徴とする請求項１記載のアップライト型電気掃除機。
【発明の詳細な説明】
【技術分野】
【０００１】
本発明はアップライト型電気掃除機の構成に関する。
【背景技術】
【０００２】
従来、アップライト型電気掃除機においては、アタッチメントをどの場所に収納するかが設計上の課題の一つであり、そのためにいろいろ工夫されてきた。例えば、集塵室および電動送風機を配設した掃除機本体に略Ｌ字状のさげ手部を設け、この略Ｌ字状のさげ手部の上方近傍に設けられた凹部にアタッチメントを取り付けるものは知られている（例えば、特許文献１参照）。
【０００３】
また、集塵部の上部にカバー付きアタッチメント収納部を有する電気掃除機もあるが（例えば、特許文献２参照）、この公報のものの図２、図３のカバー２０９と集塵部が同一面であるため、カバー２０９を開けた時、水平以上に開き、収納されていたアタッチメントが落下する可能性があった。
【特許文献１】特開２００１−２２４５４５号公報
【特許文献２】米国特許第６９２０，６６５号明細書
【発明の開示】
【発明が解決しようとする課題】
【０００４】
上記従来技術の課題にかんがみ、本発明は、アップライト型電気掃除機でのアタッチメントの収納をより効率的に、かつ、集塵部の上部にカバー付きアタッチメント収納部を有するものにおいて、集塵部の上部のカバーを開く際に、収納されていたアタッチメントが落下することを防止できる構成のアップライト型電気掃除機を提供する。
【課題を解決するための手段】
【０００５】
上記課題を解決するために、本発明の請求項１に係るアップライト型電気掃除機は、掃除機本体内に集塵部、電動送風機とを有するアップライト型電気掃除機において、着脱可能な集塵部に該集塵部の着脱持ち運び用及び本体持ち運び用の取っ手を設け、かつ、該取っ手の上方側にカバー付きアタッチメント収納部を設け、該取っ手をカバー面より前側の位置に設けることにより、該カバーを回動支点軸を中心に前方側に開けた時に、水平以上にガバーが開かないように、取っ手部をカバーで受ける構造とした。
【０００６】
こうして、カバーが水平になる前に集塵部の取っ手により受けるため、アタッチメントが収納部に完全に固定されていなくて、カバーを開けた時にアタッチメントがしっかり固定されてなく脱落していても、カバーが水平にまで開くことがないので、カバーによりアタッチメントが落下してしまうのを防止することができる。
【０００７】
本発明の請求項２に係るアップライト型電気掃除機は、掃除機本体内に集塵部、電動送風機とを有するアップライト型電気掃除機において、着脱可能な集塵部に該集塵部の着脱持ち運び用及び本体持ち運び用の取っ手を設け、かつ、該取っ手の上方側にカバー付きアタッチメント収納部を設け、該取っ手をカバー面より前側の位置に設けることにより、該カバーを回動支点軸を中心に前方側に開けた時に、水平以上にガバーが開かないように、取っ手部をカバーで受ける構造とし、前記取っ手部は、前記カバーを開けたとき、支点軸にかかる力が少なくなる程度にガバーの回動支点軸より離れた位置でカバーを受けるように設ける構成とした。
【０００８】
こうして、取っ手部はカバーの回動支点軸よりある程度離れた位置を受けるため、カバーを無理やりに開けても回動支点軸にかかる力は少なくなるため、回動支点軸の破損を防止できる。
【発明の効果】
【０００９】
以上のように本発明の電気掃除機は、カバー３が水平になる前に集塵部２の取っ手３により受けるため、アタッチメント８が収納部７に完全に固定されていなくて、カバー３を開けた時にアタッチメント８がしっかり固定されてなく脱落していても、カバー３が水平にまで開くことがないので、カバー３によりアタッチメント８が落下してしまうのを防止することができる。また、取っ手部５はカバー３の回動支点軸９よりある程度離れた位置を受けるため、カバー３を無理やりに開けても回動支点軸９にかかる力は少なくなるため、支点軸の破損を防止できる。
【発明を実施するための最良の形態】
【００１０】
以下に本発明の実施態様を図面に基づき説明する。図１は、この発明の実施形態にかかるアップライト型電気掃除機の外観構成図であり、図２（Ａ）はアップライト型電気掃除機の正面図であり、図２（Ｂ）はアップライト型掃除機の側面図である。図３はアップライト型掃除機の側面断面図である。図４はカバー付きアタッチメント収納部付近の外観図。図５はアップライト型掃除機のアタッチメント収納部付近の側面断面図である。
【００１１】
次に、図１の本発明の実施形態にかかるアップライト型電気掃除機の外観構成図と、図２（Ａ）のアップライト型電気掃除機の正面図及び図２（Ｂ）の側面図を参照して、本発明アップライト型電気掃除機を説明する。
【００１２】
図１、図２に示すアップライト型電気掃除機１は、着脱可能な集塵部２と掃除機本体の前端に取付けられた床用ブラシ４と掃除機本体の上部に配設された握り手６を有する。集塵部２の上部には集塵部の着脱持ち運び用及び本体持ち運び用の取っ手５を有し、かつ、その取っ手の上側本体部にカバー３を配置した後述のアタッチメント収納部を設け、集塵部２と床用ブラシ４とを流体的に連通するアタッチメント接続用のホース１０が設けられている。
【００１３】
通常、掃除を行なうときには、使用者が握り手６を掴みアップライト型電気掃除機１を持ち上げ、更に、電源スイッチを入れることで電気掃除機１を移動させなから、床用ブラシ４から塵挨を吸引して清掃を行うができる。アタッチメントを用いて掃除を行なう場合は、ホース１０にアタッチメントを接続して行なうことができる。
【００１４】
図３は本発明のアップライト型掃除機の側面断面図を示し、集塵部２の上部の取っ手５上側本体部にカバー３を前面に配置したアタッチメント収納部７を設け、アタッチメント収納部７にはアタッチメント８が取り付け固定されている。図において、カバー３はアタッチメント８を収納部７内に収納して閉じられている状態である。アタッチメント８を取り出すときは、カバー３は支点軸９を中心にして前方に開くことができる。床用ブラシ４の後方には電動送風機のモータ１１が配置されている。
【００１５】
図４はカバー付きアタッチメント収納部付近の外観図であり、図５はアタッチメント収納部付近の側面断面図である。図のように、アタッチメント収納部７に収納されているアタッチメント８を取り出すために、カバー３は支点軸９を中心にして矢印のように、前方に開くことができる。
【００１６】
この時、カバー３が水平になる前に集塵部２の取っ手３により受けるため、アタッチメント８が収納部７に完全に固定されていなくて、カバー３を開けた時にアタッチメント８がしっかり固定されてなく脱落していても、カバー３が水平にまで開くことがないので、カバー３によりアタッチメント８が落下してしまうのを防止することができる。
【００１７】
また、取っ手部５はカバー３の回動支点軸９よりある程度離れた位置を受けるため、カバー３を無理やりに開けても回動支点軸９にかかる力は少なくなるため、回動支点軸の破損を防止できる。
【００１８】
次に、本発明のアップライト型電気掃除機に関連した実施形態を説明する。
従来、集塵部の着脱用の引掛け部はセンター上の１箇所のみであったため、左右にぐらつき易かったり、また、その引掛け部にかかるる荷重も大きくなるため、ストッパー部の強度を大きくする必要があった。
【００１９】
そこで、この実施形態はかかる不都合を解決するものであり、図６〜図８を参照して説明する。図において、図１と同一物には同じ符号を付している。図６にアップライト型電気掃除機の集塵部を外した時の斜視図を示す。アップライト型電気掃除機１は、通常は、集塵部２の上面に設けられた凹部１２に本体側のコの字型ストッパー１３の引掛け部１５がスプリングにより押し付けられ嵌合している。
【００２０】
集塵部２を外す時は、本体側面に設けられた集塵部着脱ボタン１６を押すことにより、その先端に設けられた傾斜部がコの字型ストッパー１３に設けられた傾斜部を押すことにより引掛け部１５が上方にスライドし集塵部２の上面の凹部１２から外れる。その時、集塵部２の上面の取っ手５を手前に引くことにより、集塵部２を外すことができる。
【００２１】
図７に電気掃除機のストッパー部の要部斜視図（通常時）を示す。集塵部２の着脱用の引掛け部１５はセンター上の２箇所に設けられている。集塵部２を外す時は、図８のストッパー部の要部斜視図（着脱ボタンを押した状態）に示すように、本体側面に設けられた集塵部着脱ボタン１６を押すことにより、その先端に設けられた傾斜部がコの字型ストッパー１３に設けられた傾斜部を押すことにより引掛け部１５が上方にスライドし集塵部２の上面の凹部１２から外れる。
【００２２】
また、集塵部２を取り付ける時は、図６のように、集塵部２の下端のヒンジ部１４を本体側の受け部に乗せ、取っ手部５を持って押し込むことにより、集塵部２の上面端部がストッパー１３の引掛け部１５の傾斜面を上方に押し上げながら凹部１２に嵌合する。
【００２３】
このように、アップライト型電気掃除機１において、本体部側面のボタン１６を押すことによりコの宇型のストッパー１３の引掛け部１５を上下させ、集塵部２の上面に設けられた２箇所の凹部１２と嵌合させることにより、集塵部２を着脱させることができ、左右へのぐらつきを防止し、また、その引掛け部１５にかかる荷重も分散することができるので、ストッパー部の強度を低減することができる。
【００２４】
次に、本発明のアップライト型電気掃除機に関連した他の実施形態を説明する。図９〜図１３を参照して説明する。図９にアップライト型電気掃除機の排気部分解斜視図を、図１０にアップライト型電気掃除機の本体排気部の斜視図及びＴ型穴形状拡大図を示すように、アップライト型電気掃除機は集塵部２にて集塵された空気をモータ（図示せず）を通し、排気フィルター１７にて更に細かい細塵を捕集し、排気カバー１８を通して外部に排気するするものである。
【００２５】
この排気フィルター１７は細塵が沢山付着すると風量が減り、集塵効果が低下するため、排気フィルター１７は適時外して掃除をすることが必要である。従って、この排気フィルター１７は着脱可能な構造でなければならない。
【００２６】
従来の排気カバーでは、排気カバー１８の両サイドにある引掛け部１９を左右同時に内側に押し、外す必要があり、片側だけを外した時は、もう片方のＴ型フック部２０が本体側Ｔ型穴２１に引っかかったままであり、無理に開けると、Ｔ型フック部２０が破損する可能性があった。
【００２７】
そこで、この実施形態はかかる不都合を解決するものであり、この排気フィルター１７を着脱可能とするための排気カバー１８の構造に関するものである。図１１にアップライト型電気掃除機の排気カバーの部品図及び引掛けリブ拡大図を示す。
【００２８】
この排気カバー１８は、通常、排気カバー１８の両サイドにある引掛け部１９の先端Ｔ型フック部２０と本体側のＴ型穴２１が嵌合し、固定されている。この排気カバー１８を外すには、排気カバー１８の引っ掛け部１９を内側に押すことにより、その先端Ｔ型フック部２０を本体側Ｔ型穴２１より解除することができる。
【００２９】
図１２はアップライト型電気掃除機の排気部の平面断面図（通常時）であり、図１２（Ａ）は排気部の全体図、図１２（Ｂ）は引掛け部の拡大図である。排気カバー１８の内側両サイドに引掛けリブ２２を設け、その引掛けリブ２２を本体側の排気フィルター１７の両サイドの位置に形成された仕切りリブ２３に引掛けることにより、排気カバー１８の左右のＴ型フック部２０のどちらか一方が外れると、自動的に反対側のＴ型フック部２０も外れるようにしたものである。排気カバーの片側を開けた時の状態を図１３のアップライト型電気掃除機の排気部の平面断面図に示し、図１３（Ａ）は排気部の全体図、図１３（Ｂ）は引掛け部の拡大図を示している。
【００３０】
このように、この排気カバー１８の内側の引掛けリブ２２を本体側の仕切りリブ２３に引掛けることにより、Ｔ型フック部２０のどちらか一方を外すと、と引掛けリブ２２と仕切りリブ２３とを起点として他方のＴ型フック部２０を、無理に力を加えることなく開けることができ、Ｔ型フック部２０の破損を防止することができる。また、熱い排気風の風圧により、排気カバー１８の両サイドが押し広げられ、排気カバー１８の引掛け部が変形するのを防止することができる。
【図面の簡単な説明】
【００３１】
【図１】本発明のアップライト型電気掃除機の外観構成図。
【図２】本発明のアップライト型電気掃除機の正面図、側面図。
【図３】本発明のアップライト型掃除機の側面断面図。
【図４】カバー付きアタッチメント収納部付近の外観図。
【図５】カバー付きアタッチメント収納部付近の側面断面図。
【図６】アップライト型電気掃除機の集塵部を外した時の斜視図。
【図７】アップライト型電気掃除機のストッパー部の要部斜視図（通常時）。
【図８】アップライト型電気掃除機のストッパー部の要部斜視図（着脱ボタンを押した状態）。
【図９】アップライト型電気掃除機の排気部分解斜視図。
【図１０】アップライト型電気掃除機の本体排気部の斜視図及びＴ型穴形状拡大図。
【図１１】アップライト型電気掃除機の排気カバーの部品図及び引掛けリブ拡大図。
【図１２】アップライト型電気掃除機の排気部の平面断面図（通常時）。
【図１３】アップライト型電気掃除機の排気部の平面断面図（排気カバーの片側を開けた時）。
【符号の説明】
【００３２】
１          アップライト型電気掃除機
２          集塵部
３          カバー
４          床用ブラシ
５          取っ手
６          握り手
７          アタッチメント収納部
８          アタッチメント
９          支点軸
１０        ホース
１１        モータ
１２        凹部
１３        コの字型ストッパー
１４        ヒンジ部
１５        引掛け部
１６        集塵部着脱ボタン
１７        排気フィルター１７
１８        排気カバー
１９        引掛け部
２０        Ｔ型フック部
２１        本体側のＴ型穴
２２        引掛けリブ
２３        仕切りリブ
【図１】
2007167566.tif 000003
【図２】
2007167566.tif 000004
【図３】
2007167566.tif 000005
【図４】
2007167566.tif 000006
【図５】
2007167566.tif 000007
【図６】
2007167566.tif 000008
【図７】
2007167566.tif 000009
【図８】
2007167566.tif 000010
【図９】
2007167566.tif 000011
【図１０】
2007167566.tif 000012
【図１１】
2007167566.tif 000013
【図１２】
2007167566.tif 000014
【図１３】
2007167566.tif 000015